(57)【特許請求の範囲】
【請求項１】
集水した雨水を地下で一時的に貯留しその後徐々に浸透する貯留浸透槽において、開口部を有する底版を列設し、その底版上に、底部と側壁からなる凹形状の側溝の底部を上に連続的に配設し、その外周には砕石を配置して貯留浸透槽を成すようにした、ことを特徴とする貯留浸透槽。
【請求項２】
上記凹形状の側溝はコンクリート製の底部と通水可能な穿孔部を有する側壁から成る浸透側溝又はコンクリート製の底部と透水コンクリート製の側壁からなる浸透側溝である、ことを特徴とする請求項１に記載の貯留浸透槽。
【請求項３】
上記開口部を有する底版は、側溝の側壁を嵌合するための深さ２０ｍｍ以上の溝を底版の上面に有し、底版全体の面積に対して開口部の面積が３０％〜７０％である、ことを特徴とする請求項１または２に記載の貯留浸透槽。
【発明の詳細な説明】
【０００１】
【発明の属する技術分野】
この発明は、集水した雨水を地下で一時的に貯留しその後徐々に浸透する貯留浸透槽に関するものである。
【０００２】
【従来の技術】
近年、地中に地下調整池としての貯留槽を埋設し、その貯留槽に多量の雨水を集めて一時的に貯留しその後徐々に排出することにより、河川への集中的な雨水流入を調整することが、広く行われている。この貯留槽は、ボックスカルバート等のコンクリート製構造物から成るものであり、その排出方式で、貯留した雨水を排出口から排出させる方式と、貯留した雨水を地下に浸透させて排出する浸透方式とに分けられる。
【０００３】
しかし、上記従来の浸透方式では、側面や底部に開口部を設けた専用の特殊な製品が必要であり、新規に型枠を製作するための設備投資が必要とされた。
【０００４】
この発明は上記に鑑み提案されたもので、従来の一般的な側溝および一般的な浸透側溝を用いて貯留水の浸透、排出を速やかに行うことができ、大型車両の走行が可能でかつ設置が容易な貯留浸透槽を提供することを目的とする。
【０００５】
【発明が解決しようとする課題】
上記目的を達成するために、請求項１に記載の発明は、集水した雨水を地下で一時的に貯留しその後徐々に浸透する貯留浸透槽において、開口部を有する底版を列設し、その底版上に、底部と側壁からなる凹形状の側溝の底部を上に連続的に配設し、その外周には砕石を配置して貯留浸透槽を成すようにした、ことを特徴としている。
【０００６】
また、請求項２に記載の発明は、上記した請求項１に記載の発明の構成に加えて、上記凹形状の側溝はコンクリート製の底部と通水可能な穿孔部を有する側壁から成る浸透側溝又はコンクリート製の底部と透水コンクリート製の側壁からなる浸透側溝である、ことを特徴としている。
【０００７】
さらに、請求項３に記載の発明は、上記した請求項１または２に記載の発明の構成に加えて、上記開口部を有する底版は、側溝の側壁を嵌合するための深さ２０ｍｍ以上の溝を底版の上面に有し、底版全体の面積に対して開口部の面積が３０％〜７０％であることを特徴としている。
【０００８】
【発明の実施の形態】
以下にこの発明の実施の形態を図面に基づいて詳細に説明する。図１はこの発明の貯留浸透槽の設置例を示す縦断面図、図２はその貯留浸透槽の横断面図、図３はこの発明の貯留浸透槽の一部を示す斜視図、図４、図５、図６は従来の浸透側溝の一例を示す斜視図である。
【０００９】
図１、図２に示すように、貯留浸透槽１は、集水した多量の雨水を地下で一時的に貯留し、流入する雨水に含まれる土砂を堆積させた後、徐々に排出させるための槽であり、溝状の掘削部１００内に砕石１０１とともに列状に埋設されている。
【００１０】
この貯留浸透槽１は、砕石１０１上に開口部２１を有する底版２を縦方向に列設し、その底版２上に凹形状の側溝３の底部３１を上にして連続して配設し、連接された側溝３の両端に妻壁４を配設し、一端から他端までの間が、雨水を貯留するための内部空間を形成するようにしている。さらにその外周にも砕石１０１を配設している。
【００１１】
上記の底版２は、図３に示すように、矩形の平板状のものであり、開口部２１が穿設してある。また、両脇には、側溝３を据え置くための溝２２および所定間隔でインサート（内周面にねじが切ってある小孔）２３が設けてある。
【００１２】
上記の側溝３は、図３に示すように、コンクリート製の底部３１と側壁３２から成る側溝である。側壁３２の端面には必要に応じ、所定間隔でインサート３３が設けてある。
【００１３】
次に、上記貯留浸透槽１の組立手順を説明する。先ず、掘削部１００の底面に砕石１０１を敷き詰め、その上に底版２を列設する。個々の底版２はインサート２３を使用して穴あきプレート２４で接続する。底版２は開口部２１を有した板状のため軽量であり、穴あきプレート２４とインサート２３を用いてボルトで列設するようにしたので、組立を容易にかつ迅速に進めることができる。
【００１４】
続いて、図３に示すように底版２に設けられている溝２２に側溝３を据え付け連接する。側溝は、底版の溝２２で位置が固定されるので側溝は据え置くだけで横への移動が拘束され、側溝が上載の荷重によって生じる土圧にも耐えることが可能となる。
【００１５】
連設された側溝３の両サイドに配設されたインサート３３を利用して妻壁４を配設し、列設した側溝３の底部３１には適当な箇所に集水口５を穿設し、この集水口５には、地表面に臨む集水桝１０３を載置し、集水桝１０３からの雨水を導き貯留浸透槽１に貯留する。集水桝１０３は溜まった土砂などをバキュームなどで吸引するための維持管理孔としても利用される。集水桝１０３とは別に泥溜め用の桝を設けても良い。
【００１６】
側溝３の周囲を砕石１０１で埋め戻し、また側溝３の底部３１の上方には人工基盤１０２を形成し、用途により適宜表面処理して車道、公園、駐車場などを造る。
【００１７】
上記のように列設して構成した貯留浸透槽１において、土砂を含んだ多量の雨水は集水口５から貯留浸透槽１に流入し、貯留浸透槽１の内部空間に一時的に貯留され、その後に底版の開口部２１から掘削部１００の砕石１０１の層に浸透し、徐々に地下水として浸透される。
【００１８】
このように、この実施形態では、底版２に開口部２１を設け、その開口部２１から徐々に雨水を排出するようにした。開口部の面積は広く確保することにより浸透面積は大きくなるが、上載荷重に耐えられなくなる。浸透面積が小さい場合、堆積した土砂で浸透速度が低下するため、土砂の排出等の維持管理に手間を要する。このトレードオフの関係から、底版２の開口部２１の面積は、底版２全体の面積に対して３０％〜７０％が好適となる。さらに、側溝の鉄筋かぶり位置にほぼ相当する２０ｍｍ以上の溝を底版の上面に設け、側壁３を嵌合させることにより、側溝の側壁３２の補強を行うことができる。
【００１９】
凹形状の側溝３の代表的な例は、昭和２６年に制定されたＪＩＳ  Ａ  ５３０５に示される鉄筋コンクリートＵ形側溝である。これらの一般的な凹形状の側溝は底部を下に設置され、道路脇の側溝（水路）として使用されるもので、適用場所は主として歩道に用いられるか車道と平行に用いられるもので、大型車両が走行するのには適していない。しかし、本発明の構成により、上載荷重の土圧が緩和され、大型車両が走行することも可能となる。主として歩道に設置される凹形状の電線の共同側溝も使用可能である。
【００２０】
浸透を目的とする凹形状の側溝３の側壁３２は図４、図５に示すような通水可能な穿孔部３４を有する、穿孔部３４は図に示したように丸状の孔や矩形のスリット状などが代表的である。図６に示すような通水可能な透水コンクリート製の側壁３２を持つ浸透側溝であれば、目詰まりが生じにくくより好適である。透水コンクリート製の側壁３２は、骨材相互をコンクリート成分で接合するとともに各骨材間に微細な連続状の空隙を持たせて水が通過可能にしたものである。これらの代表的な浸透側溝であれば、貯留浸透槽１に集水した雨水をより速やかに排出することができる。
【００２１】
なお、上記の説明では、底版２を前後方向に列設して貯留浸透槽１を構築するようにしたが、前後方向だけでなく、横方向にも並設して幅広の貯留浸透槽１を構築するようにしてもよい。
【００２２】
【発明の効果】
この発明は上記した構成からなるので、以下に説明するような効果を奏することができる。請求項１に記載の発明では、特別な貯留浸透製品ではなく、従来よりある大型車両が走行できない一般的な側溝を用いて、例えば１輪５ｔの重荷重が載荷可能な貯留浸透槽を構築することができる。側溝は、底版により支持、拘束され、側溝が上載の重荷重によって生じる土圧にも耐えることが可能となる。さらに、従来の側溝の型枠を用いることで、新たな設備は底版の型枠だけであり、設備投資を最小限に抑えることができ、社会的な要請である建設費の縮減に寄与することが可能である。
【００２３】
また、請求項２に記載の発明では、従来よりある一般的な浸透側溝を用いて貯留浸透槽を構築し、貯留水のより速やかな浸透、排出を可能とすることができる。
【００２４】
さらに、請求項３に記載の発明では、従来の側溝の補強効果を奏し、より重荷重の載荷に耐え、維持管理を簡略化することができる。
【図面の簡単な説明】
【図１】この発明の貯留浸透槽の一設置例を示す縦断面図である。
【図２】設置例を示す横断面図である。
【図３】貯留浸透槽の一部を示す斜視図である。
【図４】側壁に穿孔部を有する浸透側溝の一例を示す斜視図である。
【図５】側壁に穿孔部を有する浸透側溝の一例を示す斜視図である。
【図６】側壁が透水コンクリートからなる浸透側溝の一例を示す斜視図である。
【符号の説明】
１  貯留浸透槽
２  底版
２１  開口部
２２  溝
２３  インサート
２４  穴あきプレート
３  凹形状の側溝
３１  底部
３２  側壁
３３  インサート
３４  穿孔部
４  妻壁
５  集水口
１００  掘削部
１０１  砕石
１０２  人工地盤
１０３  集水桝
【図１】
0003975084.tif 000002
【図２】
0003975084.tif 000003
【図３】
0003975084.tif 000004
【図４】
0003975084.tif 000005
【図５】
0003975084.tif 000006
【図６】
0003975084.tif 000007